【手続補正書】
【提出日】平成18年5月10日(2006.5.10)
【手続補正１】
【補正対象書類名】明細書
【補正対象項目名】発明の名称
【補正方法】変更
【補正の内容】
【発明の名称】ネットワーク端末装置、ネットワーク端末制御方法、及び、プログラム
【手続補正２】
【補正対象書類名】明細書
【補正対象項目名】特許請求の範囲
【補正方法】変更
【補正の内容】
【特許請求の範囲】
【請求項１】  ネットワークへの接続時に当該ネットワーク上の特定機器の識別情報を取得する情報取得手段と、
前記ネットワーク上のクライアントコンピュータに任意のサービスを提供するサービス提供手段と、
前記識別情報と前記サービス提供手段によって提供されるサービスの種類とを関連づけして保持する保持手段と、
任意のネットワークに接続されたとき、前記情報取得手段によって取得された識別情報が前記保持手段に保持されているか否かを判定する判定手段と、
前記判定手段の判定結果が肯定の場合に該当するサービスの開始を指示するサービス開始指示手段と
を備えたことを特徴とするネットワーク端末装置。
【請求項２】  前記判定手段の判定結果が肯定の場合に、前記識別情報に関連して保持されているサービスの種類より、提供されるサービスを選択する選択手段を更に備えることを特徴とする請求項１記載のネットワーク端末装置。
【請求項３】  前記特定機器はゲートウェイであり、前記識別情報はゲートウェイのＭＡＣアドレスであることを特徴とする請求項１または請求項２に記載のネットワーク端末装置。
【請求項４】  ネットワークへの接続時に当該ネットワーク上の特定機器の識別情報を取得する情報取得工程と、
前記ネットワーク上のクライアントコンピュータに任意のサービスを提供するサービス提供工程と、
前記識別情報と前記サービス提供工程によって提供されるサービスの種類とを関連づけして保持する保持工程と、
任意のネットワークに接続されたとき、前記情報取得工程によって取得された識別情報が前記保持工程で保持されているか否かを判定する判定工程と、
前記判定工程の判定結果が肯定の場合に該当するサービスの開始を指示するサービス開始指示工程と
を含むことを特徴とするネットワーク端末制御方法。
【請求項５】  前記判定工程と前記サービス開始指示工程との間に、前記判定工程による判定結果が肯定の場合に、前記識別情報に関連して保持されているサービスの種類より、提供されるサービスを選択する選択工程を更に含むことを特徴とする請求項４記載のネットワーク端末制御方法。
【請求項６】  前記特定機器はゲートウェイであり、前記識別情報はゲートウェイのＭＡＣアドレスであることを特徴とする請求項４または請求項５記載のネットワーク端末制御方法。
【請求項７】  ネットワーク上にネットワーク接続パラメータを割り当てるための機器が存在しているか否かを判定する判定工程と、該工程の判定結果が否定の場合に前記ネットワーク接続パラメータを手動設定するための画面を端末に表示させる表示工程とを含むことを特徴とするネットワーク端末制御方法。
【請求項８】  前記判定工程は、前記機器からの応答の有無をもってその判定を行うと共に、応答がない場合の判定待ち時間を、過去の応答時間に基づいて動的設定したことを特徴とする請求項７記載のネットワーク端末制御方法。
【請求項９】  コンピュータを、
ネットワークへの接続時に当該ネットワーク上の特定機器の識別情報を取得する情報取得手段、
前記ネットワーク上のクライアントコンピュータに任意のサービスを提供するサービス提供手段、
前記識別情報と前記サービス提供手段によって提供されるサービスの種類とを関連づけして保持する保持手段、
任意のネットワークに接続されたとき、前記情報取得手段によって取得された識別情報が前記保持手段に保持されているか否かを判定する判定手段、
前記判定手段の判定結果が肯定の場合に該当するサービスの開始を指示するサービス開始指示手段
として機能させることを特徴とするプログラム。
【請求項１０】  前記コンピュータを、前記判定手段の判定結果が肯定の場合に、前記識別情報に関連して保持されているサービスの種類より、提供されるサービスを選択する選択手段として更に機能させることを特徴とする請求項９記載のプログラム。
【手続補正３】
【補正対象書類名】明細書
【補正対象項目名】０００１
【補正方法】変更
【補正の内容】
【０００１】
【発明の属する技術分野】
本発明は、ネットワーク端末装置、ネットワーク端末制御方法、及び、プログラムに関する。詳しくは、複数の異なるネットワークをルータと呼ばれるゲートウェイを介して広域通信網と接続して構成されたインターネットで使用されるネットワーク端末装置、ネットワーク端末制御方法、及び、プログラムに係り、特にあるネットワークから他のネットワークへ移動して使用する際の接続設定操作の煩わしさを軽減したネットワーク端末装置、ネットワーク端末制御方法、及び、プログラムに関する。
【手続補正４】
【補正対象書類名】明細書
【補正対象項目名】００１６
【補正方法】変更
【補正の内容】
【００１６】
したがって、本発明が解決しようとする課題は、各ネットワークに専用の機器（たとえば、ホームＶＳＧやリモートＶＳＧ）を備えることなく、接続先のネットワークごとにサービスの有効／無効を自動設定できるようにしたネットワーク端末装置、ネットワーク端末制御方法、及び、プログラムを提案することにある。
【手続補正５】
【補正対象書類名】明細書
【補正対象項目名】００６９
【補正方法】変更
【補正の内容】
【００６９】
【発明の効果】
請求項１、請求項４、又は請求項９記載の発明によれば、あるネットワークでサービスを提供する場合、そのネットワーク上の特定機器の識別情報と、そのサービスの種類とが関連づけて保持される。そして、ネットワークに接続されるたびに、そのネットワーク上の特定機器の識別情報を取得して保持されているか否かを判定し、保持していない場合はサービスを開始しない。したがって、接続先のネットワークごとにサービスの有効／無効を自動設定することができる。
また、請求項２、請求項５、又は請求項１０記載の発明によれば、ネットワークに接続されるたびに、そのネットワーク上の特定機器の識別情報を取得して保持されているか否かを判定し、保持していない場合に、前記識別情報に関連して保持されているサービスの種類より、提供されるサービスを選択する。したがって、接続先のネットワークに適合したサービスのみを提供して不必要なサービスを提供しないようにできる。
また、請求項３記載の発明によれば、前記特定機器をゲートウェイとし、前記識別情報をゲートウェイのＭＡＣアドレスとするので、特に、インターネットを構成するネットワークにおいては、ゲートウェイは必須の機器の一つであるから、あらゆるネットワークで利用可能な技術を提供できる。
また、請求項４記載の発明によれば、あるネットワークでサービスを提供する場合、そのネットワーク上の特定機器の識別情報と、そのサービスの種類とが関連づけて保持される。そして、ネットワークに接続されるたびに、そのネットワーク上の特定機器の識別情報を取得して保持されているか否かを判定し、保持していない場合はサービスを開始しない。したがって、接続先のネットワークごとにサービスの有効／無効を自動設定することができる。
また、請求項５記載の発明によれば、ネットワークに接続されるたびに、そのネットワーク上の特定機器の識別情報を取得して保持されているか否かを判定し、保持していない場合に、前記識別情報に関連して保持されているサービスの種類より、提供されるサービスを選択する。したがって、接続先のネットワークに適合したサービスのみを提供して不必要なサービスを提供しないようにできる。
また、請求項６記載の発明によれば、前記特定機器をゲートウェイとし、前記識別情報をゲートウェイのＭＡＣアドレスとするので、特に、インターネットを構成するネットワークにおいては、ゲートウェイは必須の機器の一つであるから、あらゆるネットワークで利用可能な技術を提供できる。
また、請求項７記載の発明によれば、ネットワーク上にネットワーク接続パラメータ（たとえば、ＩＰアドレスやサブネットマスク）を割り当てるための機器（ＤＨＣＰサーバ）が存在していない場合、端末に、前記ネットワーク接続パラメータを手動設定するための画面を表示するので、いちいち当該画面を見つけだして開くという手間を省くことができる上、当該画面を見つけだすことができない初心者ユーザに対して便宜を図ることができる。
また、請求項８記載の発明によれば、前記機器（ＤＨＣＰサーバ）からの応答の有無をもってその判定を行う際の判定待ち時間を、過去の応答時間に基づいて動的設定するので、とりわけ、比較的応答の早いＤＨＣＰサーバを利用する機会が多い場合の上記待ち時間を短くすることができる。